(57)【要約】【課題】蝉の産卵管から光ファイバを保護し、かつ横風に対して少しでも表面積を少なくし、風圧の影響（振動）を下げる。【解決手段】光ファイバドロップケーブル１は、長尺の光エレメント部９が、この光エレメント部９の中心からほぼ対称の位置に平行に配設された少なくとも一対の抗張力体５と、この一対の抗張力体５の中間部に配設された単数あるいは複数の光ファイバ３と、この光ファイバ３と前記一対の抗張力体５との外周上を被覆した光エレメント用外被７と、で構成している。また、支持線１３を支持線用外被１５で被覆した長尺のケーブル支持線部１７を有している。さらに、前記光エレメント部９の一対の抗張力体５と光ファイバ３とを通る第１平面１１と、前記一対の抗張力体５の中間の位置と前記支持線１３とを通る第２平面とが互いに垂直であり、かつ前記ケーブル支持線部１７と光エレメント部９が間欠固定部２１又は２３で間欠的に連結されている。【選択図】図１
2006330608.tif 000002
【特許請求の範囲】
【請求項１】
長尺の光エレメント部であって、この光エレメント部の中心からほぼ対称の位置に平行に配設された少なくとも一対の抗張力体と、この一対の抗張力体の中間部に配設された単数あるいは複数の光ファイバと、この光ファイバと前記一対の抗張力体との外周上を被覆した光エレメント用外被と、で構成した長尺の光エレメント部と、
支持線を支持線用外被で被覆した長尺のケーブル支持線部と、を有し、
前記光エレメント部の一対の抗張力体と光ファイバとを通る第１平面と、前記一対の抗張力体の中間の位置と前記ケーブル支持線部とを通る第２平面とが互いに垂直であり、かつ前記ケーブル支持線部と光エレメント部が間欠固定部で間欠的に連結されていることを特徴とする光ファイバドロップケーブル。
【請求項２】
前記間欠固定部間において、ケーブル支持線部の長さに対して光エレメント部の長さが長くなっていることを特徴とする請求項１記載の光ファイバドロップケーブル。
【発明の詳細な説明】
【技術分野】
【０００１】
この発明は、光ファイバドロップケーブルに関し、特に単数あるいは複数の光ファイバを小規模ビル或いは一般家庭に引き込む際の電柱間に架設するドロップ用の光ファイバケーブルであり、しかも昆虫が産卵管を刺して光ファイバを断線させることを防ぐ構造の光ファイバドロップケーブルに関する。
【背景技術】
【０００２】
従来、ＦＴＴＨ（Fiber to the Home）の普及に伴ってＦＴＴＨ加入引込み用光ファイバケーブルの配線施工が増加している。すなわち、家庭またはオフィスでも超高速データ等の高速広帯域情報を送受できるようにするために、電話局から延線されたアクセス系の光ファイバドロップケーブルから、ビルあるいは一般住宅などの加入者宅へ光ファイバ素線又は光ファイバ心線からなる光ファイバが引き落とされて、これを配線するためにド光ファイバドロップケーブルが用いられている。つまり、光ファイバドロップケーブル（屋外線）は電柱上から家庭内へ光ファイバを引き込む際に用いられるケーブルである。
【０００３】
例えば、従来の光ファイバドロップケーブルは、両側端部の首部を一部切り裂いて光エレメント部とケーブル支持線部とが分離され、この分離された一方のケーブル支持線部の端部が電柱の屋外線引き留め具に固定され、他方の端部が家屋の一部に引き留め具を介して固定される。そして、前記光エレメント部の一方の端部は切り裂かれて内部から光ファイバを取り出し、この光ファイバが電柱上のクロージャに接続される。前記光エレメント部の他方の端部は切り裂かれて内部から光ファイバを取り出し、この光ファイバが屋内のＯＥ変換器または成端箱に接続される。
【０００４】
図３を参照するに、従来の光ファイバドロップケーブル１０１は、２本の光ファイバ素線又は光ファイバ心線からなる光ファイバ１０３と、この光ファイバ１０３を挟んでその両側に平行に配置された少なくとも一対の抗張力体１０５と、前記光ファイバ１０３と一対の抗張力体１０５との外周上を被覆した断面形状が矩形形状で樹脂からなる外被１０７と、前記光ファイバ１０３と一対の抗張力体１０５の中心軸（Ｘ軸）を通る第１平面１０９と垂直で、かつ前記光ファイバ１０３の中心軸（Ｙ軸）を通る第２平面１１１の両側の離れた前記外被１０７の表面に形成されたノッチ１１３と、から長尺の光エレメント部１１５を構成している。
【０００５】
この長尺の光エレメント部１１５と、この光エレメント部１１５における外被１０７の左側に首部１１７を介して、吊り線（支持線）１１９を被覆した樹脂からなる外被１２１で一体化されたケーブル支持線部１２３と、で前記光ファイバドロップケーブル１０１が構成されている。しかも、前記吊り線１１９の中心軸（Ｘ軸）を通る平面は前記第１平面１０９と一致している。
【０００６】
また、図４では、上記の図３の光ファイバドロップケーブルにおける光ファイバ１０３が４心の光ファイバテープ心線で構成されており、他の構成は図３と同様である。
【０００７】
また、従来の光ファイバドロップケーブルの構造としては、特許文献１及び特許文献２のように、支持線の外周に被覆を施した支持線部と、２心光ファイバテープ心線の両側にテンションメンバを配置してそれらの外周に被覆を施した光ファイバ部との間には、２心光ファイバテープ心線及びテンションメンバを通る平面と支持線及び２心光ファイバテープ心線を通る平面とが直交するように、支持線部と光ファイバ部とを連続的に連結するための首部が設けられている。
【０００８】
さらに、従来の光ファイバドロップケーブルとしては、特許文献３及び特許文献４のように、光ファイバを収納した光ケーブルコア部が支持線部に首部で間欠的に連結されており、且つ前記光ケーブルコア部には支持線部に対して蛇行弛みが与えられている。
【０００９】
さらに、従来の光ファイバドロップケーブルとしては、特許文献５のように、光ファイバを収納した光ケーブルコア部が支持線部にモールド加工の連結部で間欠的に一体化されて連結されており、前記光ケーブルコア部は支持線部の長さに対して長く、余長を持っている。
【特許文献１】特開２００３−２３２９７１号公報
【特許文献２】特開平８−１１４７３２号公報
【特許文献３】特開平３−２３６００４号公報
【特許文献４】特開平９−４３４６７号公報
【特許文献５】特開２０００−３３８３７６号公報
【発明の開示】
【発明が解決しようとする課題】
【００１０】
ところで、従来では、光ファイバドロップケーブルの使用量の増加に伴って、クマゼミ等の蝉が光ファイバドロップケーブルに産卵管を刺して光ファイバを断線させてしまう事故が多数報告されている。
【００１１】
蝉が産卵管を刺すときは、足で光ファイバドロップケーブルを抱え込むように体を支えて留まり、産卵管は蝉の腹部の中央に位置することから、光ファイバドロップケーブルの幅方向の中央部が産卵管で刺され易いものである。例えば、図３及び図４に示される従来の光ファイバドロップケーブル１０１では、外径が約２ｍｍ×５ｍｍであり、光ファイバを保護する外被の厚さも薄く、昆虫、鳥猷被害を受け易いものである。しかも、光ファイバ１０３が光エレメント部１１５の長手方向に直交する面で長辺の中央部の直下に位置しているので、蝉が光エレメント部１１５の長辺に留まったときは、蝉の腹部の真下に光ファイバ１０３が位置することになるために、光ファイバ１０３が断線する可能性が高くなる。
【００１２】
そこで、図３の光ファイバドロップケーブル１０１のように、光ファイバ１０３が１本或いは２本の場合は、蝉の産卵管の挿入により光ファイバ１０３が断線する被害を低減するために、ノッチ１１３を設けない構造が実用化されている。これは、ノッチ１１３の底部から光ファイバ１０３までの外被１０７が薄くなること、蝉の産卯管がノッチ１１３に沿って刺され易いことなどの理由から、ノッチ１１３を無くすことにより光ファイバ１０３に蝉の産卯管が接触する確率を下げて光ファイバ１０３の断線被害を低減することを目的としている。
【００１３】
しかしながら、図４に示されているように光ファイバドロップケーブル１０１に実装される光ファイバ１０３がテープ心線などのようにリボン形状を成す場合には、蝉の産卵管が光ファイバ１０３に接触する確率が高くなるために、たとえノッチ１１３を無くしても蝉の産卵管による被害を低減させる効果が低くなるものである。
【００１４】
また、光ファイバドロップケーブルの全体をプロテクタ等で機械的に保護する方法があるが、光ファイバドロップケーブルの外径が太くなり、質量増加となるので、風圧による影響を受けることになる。この風圧の影響を軽減するために布設径間長を短くしたり、光ファイバドロップケーブルの弛度を大きくしたりするなどの対策が必要となる。
【００１５】
また、特許文献１、２では、光ファイバドロップケーブルが支持線部と光ファイバ部が連続的に連結されている場合は、この光ファイバドロップケーブルがケーブル巻ドラムに巻き付けられるとき、前記支持線部が内側にして曲げられると、光ファイバ部に収納されている光ファイバに大きな伸び歪が掛かるという問題点があった。あるいは、前記支持線部が横向きとなるように巻かれると、光ファイバ部内の２心光ファイバテープ心線の両側のテンションメンバに線長差が発生して巻き難くなるという問題点があった。
【００１６】
また、特許文献３〜５では、光ケーブルコア部が支持線部に首部あるいはモールド加工の連結部で間欠的に連結されているが、蝉の産卯管が接触する確率を下げるために、光ケーブルコア部内の光ファイバの配置を考慮していないので、光ファイバの断線被害が発生するという問題点があった。
【００１７】
この発明は上述の課題を解決するためになされたものである。
【課題を解決するための手段】
【００１８】
この発明の光ファイバドロップケーブルは、長尺の光エレメント部であって、この光エレメント部の中心からほぼ対称の位置に平行に配設された少なくとも一対の抗張力体と、この一対の抗張力体の中間部に配設された単数あるいは複数の光ファイバと、この光ファイバと前記一対の抗張力体との外周上を被覆した光エレメント用外被と、で構成した長尺の光エレメント部と、
支持線を支持線用外被で被覆した長尺のケーブル支持線部と、を有し、
前記光エレメント部の一対の抗張力体と光ファイバとを通る第１平面と、前記一対の抗張力体の中間の位置と前記ケーブル支持線部とを通る第２平面とが互いに垂直であり、かつ前記ケーブル支持線部と光エレメント部が間欠固定部で間欠的に連結されていることを特徴とするものである。
【００１９】
この発明の光ファイバドロップケーブルは、前記光ファイバドロップケーブル前記間欠固定部間において、ケーブル支持線部の長さに対して光エレメント部の長さが長くなっていることが好ましい。
【発明の効果】
【００２０】
以上のごとき課題を解決するための手段から理解されるように、この発明によれば、光エレメント部の少なくとも一対の抗張力体を結んだ第１平面に直交する第２平面上にケーブル支持線部が配置され、ケーブル支持線部の下部に光ファイバが位置する構造であるので、ケーブル支持線部が光ファイバを防護し、従来型の光ファイバケーブルと比較して大幅な外径・質量を増加させることなく、蝉の産卵管から光ファイバを保護することができる。
【００２１】
また、ケーブル支持線部と光エレメント部が間欠固定部で間欠的に連結固定されているので、ケーブル支持線部の切り離しが容易で、従来型の光ファイバケーブルと同様の光エレメント部のみの構成とすることができ、加入者宅への引込み、余長の処理が容易であり、且つ、従来型の光ファイバケーブルと同様の接続部材を使用することが可能である。
【００２２】
また、従来の光ファイバドロップケーブルに比べてケーブル高さが小さくなるので、横風に対して少しでも表面積が少なくなるため、風圧荷重を軽減することができる。
【発明を実施するための最良の形態】
【００２３】
以下、この発明の実施の形態について図面を参照して説明する。
【００２４】
図１（Ａ），（Ｂ）を参照するに、この実施の形態に係る光ファイバドロップケーブル１は、紙面に対して直交した方向へ延伸された単数又は複数の光ファイバ素線、光ファイバ心線又は光ファイバテープ心線などからなる光ファイバ３と、前記光ファイバ３を挟んでその両側に平行に配置された少なくとも一対の抗張力体５と、前記光ファイバ３と一対の抗張力体５との外周上を被覆した断面形状がほぼ矩形形状で樹脂からなる光エレメント用外被としての例えば外被７と、で長尺の光エレメント部９が構成されている。なお、図１（Ａ）では、光ファイバ３として４心の光ファイバテープ心線が用いられている。
【００２５】
換言すれば、上記の一対の抗張力体５は光エレメント部９の中心からほぼ対称の位置に平行に配設されており、光ファイバ３は上記の一対の抗張力体５の中間部に配設されており、光ファイバ３と一対の抗張力体５とが中心軸（Ｘ軸）を通第１平面としての例えば平面１１上に配置されている。
【００２６】
なお、この実施の形態では、光ファイバ３と一対の抗張力体５との間隔は、互いに接触することを含めた近接としているが、この限りではなく、離れていても構わない。
【００２７】
また、支持線としての例えば吊り線１３の外周を支持線用外被としての例えば外被１５で被覆して長尺のケーブル支持線部１７が構成されている。
【００２８】
前記光エレメント部９の一対の抗張力体５と光ファイバ３との中心軸（Ｘ軸）を通る平面１１と、前記一対の抗張力体５の中間の位置と前記吊り線（支持線）１３との中心軸（Ｙ軸）を通る第２平面としての例えば平面１９が互いに垂直であり、かつ前記ケーブル支持線部１７と光エレメント部９が、間欠固定部２１により間欠的に連結されている。なお、この実施の形態では、上記の平面１９は前記一対の抗張力体５のほぼ中央の位置を通っているが、前記一対の抗張力体５の中間の位置を通るのであれば、前記中央からずれていても構わない。
【００２９】
次に、上記の光ファイバケーブル１の製造について概略的に説明すると、光ファイバ３としてはリボン型光ファイバ心線（４心テープ心線）が用いられ、この光ファイバ３の両側にガラスＦＲＰからなる抗張力体５が並列に並べられ、前記光ファイバ３と一対の抗張力体５とを通るＸ軸の平面１１に対して直交し、且つ一対の抗張力体５の中間部のほぼ中央を通るＹ軸の平面１９上に、直径φ１．２ｍｍの亜鉛めっき鋼線からなる吊り線１３が配置されて、図示しない押出成形機の押出ヘッドのダイス内を通過せしめる。
【００３０】
上記の光ファイバ３と一対の抗張力体５と吊り線１３は、押出成形機のダイス内で難燃ポリオレフィンにて共通被覆されて光エレメント用外被７と支持線用外被１５が形成されるように押出成形される。このとき、上記のように難燃ポリオレフィンで被覆される際に、吊り線１３の送出し張力が光エレメント部９の構成材料である光ファイバ３および抗張力体５の送出し張力に比べて充分に大きくされると共に、さらにダイスの内部で、間欠固定部２１を間欠的に残して、つまり光エレメント部９とケーブル支持線部１７とを間欠的に連結して、他の部分では光エレメント部９とケーブル支持線部１７とを切り離す操作が行われる。これによって、図１（Ｂ）に示されているように、光エレメント部９とケーブル支持線部１７が間欠固定部２１で間欠的に固定され、かつ、光エレメント部９がケーブル支持線部１７の長さに比べて長くなる。
【００３１】
上記構造の光ファイバドロップケーブル１の特性を調査したところ、測定波長１．５５μｍにおける伝送損失が０．２５ｄＢ／ｋｍ以下であり、従来の光ファイバケーブルと同等の性能を有することが確認された。また、−３０℃〜＋７０℃、１．５５μｍにおける伝送損失変化は、０．０５ｄＢ／ｋｍ以下であることが確認された。
【００３２】
上記構成により、この実施の形態の光ファイバドロップケーブル１は、ケーブル支持線部１７の吊り線１３の中心軸（Ｙ軸）を通る平面１９が一対の抗張力体５の中間部の光ファイバ３の位置を通り、且つ前記ケーブル支持線部１７が光エレメント部９の外側に配置されているので、前記ケーブル支持線部１７が蝉などの昆虫や鳥獣からの防護となり、例えば蝉の産卵管が光ファイバ３を傷付けることを抑止できる。
【００３３】
しかも、ケーブル支持線部１７と光エレメント部９が間欠固定部２１により間欠的に連結され、かつ、光エレメント部９の長さがケーブル支持線部１７の長さに比べて長くされているので、光ファイバドロップケーブル１が例えば巻き枠などのケーブル巻ドラムに巻き付ける際の巻き付け性が良好である。
【００３４】
ちなみに、この実施の形態のようにケーブル支持線部１７と光エレメント部９が間欠的ではなく、連続的に固定されている光ファイバドロップケーブルが上記のケーブル巻ドラムに巻き付けられる場合は、従来の特許文献１、２で説明したのと同じように、ケーブル支持線部１７が内側にして曲げられると、光ファイバ３に大きな伸び歪が掛かる。あるいは、ケーブル支持線部１７が横向きとなるように巻かれると、光エレメント部９の一対の抗張力体５に線長差が発生して巻き難くなるという問題が生じる。しかし、この問題は上記の理由で、この実施の形態の光ファイバドロップケーブル１には生じない。
【００３５】
次に、この発明の他の実施の形態に係る光ファイバドロップケーブル２３について図面を参照して説明する。なお、前述した実施の形態の光ファイバドロップケーブル１と同様の部材には同じ符号を付して詳しい説明は省略し、異なる部分について説明する。
【００３６】
図２（Ａ），（Ｂ）を参照するに、光ファイバドロップケーブル２３は、光エレメント部９とケーブル支持線部１７が同様の構成であり、間欠固定部２５が前述した光ファイバドロップケーブル１の間欠固定部２１と異なる点である。
【００３７】
すなわち、光ファイバドロップケーブル２３は、光エレメント部９とケーブル支持線部１７が別々に押出成形により製造され、その後、光エレメント部９とケーブル支持線部１７が前述した実施の形態の光ファイバドロップケーブル１と同様に配置されるように、かつ、ケーブル支持線部１７に比べて光エレメント部９が長くなるように並べられ、図２（Ａ）に示されているように光エレメント部９とケーブル支持線部１７の両者をモールド成形により間欠固定部２５で間欠的にー体化させたものである。なお、光ファイバドロップケーブル２３の作用、効果は、前述した光ファイバドロップケーブル１とほぼ同様である。
【００３８】
上記構造の光ファイバドロップケーブル２３の特性を調査したところ、測定波長１．５５μｍにおける伝送損失が０．２５ｄＢ／ｋｍ以下であり、従来の光ファイバドロップケーブルと同等の性能を有することが確認された。また、−３０℃〜＋７０℃、１．５５μｍにおける伝送損失変化は、０．０５ｄＢ／ｋｍ以下であることが確認された。
【００３９】
以上のことから、この実施の形態の光ファイバドロップケーブル１、２３は、以下の効果を奏する。
【００４０】
（１）光エレメント部９の少なくとも一対の抗張力体５を結んだ平面１１に直交する平面１９上にケーブル支持線部１７を配置し、このケーブル支持線部１７の下部に光ファイバ３が位置する構造とすることで、前記ケーブル支持線部１７が光エレメント部９の光ファイバ３を防護する。しかも、従来型の光ファイバドロップケーブルと比較して大幅な外径・質量を増加させることなく、蝉の産卵管から光ファイバ３を保護することができる。
【００４１】
（２）ケーブル支持線部１７と光エレメント部９が間欠固定部２１，２３で間欠的に連結固定されているため、ケーブル支持線部１７の切り離しが容易で、従来型の光ファイバケーブルと同様の光エレメント部９のみの構成とすることができ、加入者宅への引込み、余長の処理が容易であり、且つ、従来型の光ファイバドロップケーブルと同様の接続部材を使用することが可能である。
【００４２】
（３）ケーブル支持線部１７に比べて光エレメント部９の長さを長くしているので、ケーブル支持線部１７を内側に曲げても光エレメント部９に伸びが掛かり難く、曲げ易くなる。巻き枠等のケーブル巻ドラムへの巻き付けや余長処理などの輪取りなどの作業性に優れている。
【００４３】
（４）ケーブル支持線部１７に比べて光エレメント部９の長さを長くしているため、ケーブル支持線部１７に張力が掛かっても、光エレメント部９に伸びが掛かり難く、光ファイバ３の信頼性が優れている。
【００４４】
（５）従来の光ファイバドロップケーブルに比べてケーブル高さが小さくなるので、横風に対して少しでも表面積が少なくなるため、風圧荷重を軽減することができる。風圧の影響（振動）を下げることができる。
【図面の簡単な説明】
【００４５】
【図１】（Ａ）はこの発明の実施の形態の光ファイバドロップケーブルを示すもので、（Ｂ）の矢視Ｉ−Ｉ線の断面図であり、（Ｂ）は光ファイバドロップケーブルの正面図である。
【図２】（Ａ）はこの発明の他の実施の形態の光ファイバドロップケーブルを示すもので、（Ｂ）の矢視ＩＩ−ＩＩ線の断面図であり、（Ｂ）は他の光ファイバドロップケーブルの正面図である。
【図３】従来の光ファイバドロップケーブルの断面図である。
【図４】従来の他の光ファイバドロップケーブルの断面図である。
【符号の説明】
【００４６】
１  光ファイバドロップケーブル
３  光ファイバ
５  抗張力体
７  外被（光エレメント用外被）
９  光エレメント部
１１  平面（第１平面；Ｘ軸）
１３  吊り線（支持線）
１５  外被（支持線用外被）
１７  ケーブル支持線部
１９  平面（第２平面；Ｙ軸）
２１  間欠固定部（光ファイバケーブル１の）
２３  光ファイバドロップケーブル（他の実施の形態の）
２５  間欠固定部（光ファイバケーブル２３の）
【図１】
2006330608.tif 000003
【図２】
2006330608.tif 000004
【図３】
2006330608.tif 000005
【図４】
2006330608.tif 000006